【手続補正書】
【提出日】平成14年5月10日(2002.5.10)
【手続補正１】
【補正対象書類名】明細書
【補正対象項目名】特許請求の範囲
【補正方法】変更
【補正の内容】
【特許請求の範囲】
【請求項１】
コンプレッサからデコンプレッサへ伝送するために現在の値を最少数のビットに圧縮する方法であって、この方法は：
少なくとも１つの前の値の系列を該コンプレッサにおいて維持することを含み、各々の前の値は異なるｋ個の最下位ビットを有すると共に該デコンプレッサへ伝送されており；
前の値の該系列中のいずれかの値を基準値として用いて該デコンプレッサにおいて該現在の値を首尾良く解凍することを可能にする最少数のビットを表すｋの値を決定することを含み；
現在の該値を現在の該値のｋ個の最下位ビットと共に該コンプレッサから該デコンプレッサへ圧縮されている形で送ることを含むことを特徴とする方法。
【請求項２】
ｋの値は、現在の値と少なくとも１つの前の値とを比較してその現在の値と少なくとも１つの前の値との最大の差ｒを決定することにより決定され、このｋはｌｏｇ２（ｒ）＋１より大きい最小の整数であるように選択される整数であることを特徴とする請求項１に記載の方法。
【請求項３】
該デコンプレッサは、該デコンプレッサが値を解凍したことを示す少なくとも１つの受取通知を該コンプレッサに送り、該コンプレッサは少なくとも１つのより古い前の値を捨てるために少なくとも１つの前の値の該系列を更新することを特徴とする請求項１または２に記載の方法。
【請求項４】
該基準値に最も近い受信された現在の値のｋ個の最下位ビットと同一のｋ個の最下位ビットを有する値として解凍されるべき少なくとも１つの前の値の該系列の最後の値の基準値で該デコンプレッサにおいて現在の該値を解凍することを更に含むことを特徴とする請求項１乃至３のいずれかに記載の方法。
【請求項５】
該基準値より下から該基準値の上にまで及ぶ値を含むサーチ間隔を該デコンプレッサにおいて使用し；
該サーチ間隔内の値から同一のｋ個の最下位ビットを有する値を選択することを更に含むことを特徴とする請求項４に記載の方法。
【請求項６】
該値は、基準値ｖ ｒｅｆとビット数ｋとを少なくとも１つの前の値の該系列と現在の該値とにマッピングすることから作られ；
少なくとも１つの前の値の該系列は、該デコンプレッサにより解凍されたと受取通知されている最も古い送信された値を最旧の値として有するように更新されることを特徴とする請求項１に記載の方法。
【請求項７】
該値は、基準値とビット数ｋとの関数であることを特徴とする請求項１に記載の方法。
【請求項８】
該関数は、］ｖ ｒｅｆ−２ｋ−１， ｖ ｒｅｆ＋２ｋ−１］であることを特徴とする請求項１に記載の方法。
【請求項９】
該関数は、］ｖ ｒｅｆ， ｖ ｒｅｆ＋２ｋ］であることを特徴とする請求項７に記載の方法。
【請求項１０】
少なくとも１つの該受取通知は、受信された圧縮されていない値であることを特徴とする請求項３に記載の方法。
【請求項１１】
少なくとも１つの該受取通知は、受信された圧縮されている値であることを特徴とする請求項３に記載の方法。
【請求項１２】
少なくとも１つの該受取通知は、圧縮されている該値の一部分を符号化するのに使用される情報を含んでいる受信された圧縮されている値であることを特徴とする請求項１１に記載の方法。
【請求項１３】
少なくとも１つの該受取通知は、前の値の該系列の中の最も古い値を包含することを特徴とする請求項１０又は１１に記載の方法。
【請求項１４】
前の値の該系列は、該コンプレッサと該デコンプレッサとの間での値の系列の伝送中に失われることのある値の見積もられた最大数に基づいてより古い前の値を捨てるように更新されることを特徴とする請求項１に記載の方法。
【請求項１５】
圧縮されている現在の値は、その現在の値と共に送られる数ｋを符号化することを特徴とする請求項１に記載の方法。
【請求項１６】
該符号化はハフマン符号化であることを特徴とする請求項１５に記載の方法。
【請求項１７】
該値はＲＴＰヘッダを含むことを特徴とする請求項１に記載の方法。
【請求項１８】
少なくとも１つの該受取通知は、ＲＴＰヘッダのＴＳ及びＩＰ−ＩＤの受取通知を表すＲＴＰ  ＳＮヘッダの受取通知であることを特徴とする請求項１４に記載の方法。
【請求項１９】
現在の値を最少数のビットに圧縮するためのシステムであって：
異なるｋ個の最下位ビットを各々有する少なくとも１つの前の値の系列を維持するコンプレッサと；
最少数のｋ個の最下位ビットに圧縮されている現在の該値を該コンプレッサから受信するデコンプレッサとを含んでおり；
該コンプレッサは、少なくとも１つの前の値の該系列中のいずれかの値を基準として使用して該デコンプレッサにおいて現在の該値を首尾良く解凍することを可能にする最小数のビットを表すｋの値を決定することを特徴とするシステム。
【請求項２０】
ｋの値は、現在の該値と少なくとも１つの前の該値との最大差を決定するために現在の該値を少なくとも１つの前の該値と比較することにより決定され、ｋはｌｏｇ２（ｒ）＋１より大きい最小の整数であるように選択される整数であることを特徴とする請求項１９に記載のシステム。
【請求項２１】
該デコンプレッサは、該デコンプレッサが値を解凍したことを示す少なくとも１つの受取通知を該コンプレッサに送り、該コンプレッサはより古い前の値を捨てるために少なくとも１つの前の値の該系列を更新することを特徴とする請求項１８又は１９に記載のシステム。
【請求項２２】
該デコンプレッサは、該基準値に最も近い受信された現在の値のｋ個の最下位ビットと同一のｋ個の最下位ビットを有する値として解凍されるべき少なくとも１つの前の値の該系列の最後の値の基準値で該デコンプレッサにおいて現在の該値を解凍することを特徴とする請求項１９乃至２１のいずれかに記載のシステム。
【請求項２３】
該デコンプレッサが該基準値より下から該基準値の上にまで及ぶ値を含むサーチ間隔を使用し；該サーチ間隔内の値から同一のｋ個の最下位ビットを有する値を選択することを更に含むことを特徴とする請求項２２に記載のシステム。
【請求項２４】
該コンプレッサは、基準値ｖ ｒｅｆとビット数ｋとを少なくとも１つの前の値の該系列と現在の該値とにマッピングすることから該値を作り；少なくとも１つの前の値の該系列は、該デコンプレッサにより解凍されたと受取通知されている最も古い送信された値を最旧の値として有するように更新されることを特徴とする請求項１９に記載のシステム。
【請求項２５】
該関数は、］ｖ ｒｅｆ−２ｋ−１， ｖ ｒｅｆ＋２ｋ−１］であることを特徴とする請求項１９に記載のシステム。
【請求項２６】
該関数は、］ｖ ｒｅｆ， ｖ ｒｅｆ＋２ｋ］であることを特徴とする請求項１９に記載のシステム。
【請求項２７】
該受取通知は受信された圧縮されていない値であることを特徴とする請求項２１に記載のシステム。
【請求項２８】
少なくとも１つの該受取通知は受信された圧縮されている値であることを特徴とする請求項２１に記載のシステム。
【請求項２９】
少なくとも１つの該受取通知は、圧縮されている値の一部分を符号化するのに使用される情報を含む受信された圧縮されている値であることを特徴とする請求項２８に記載のシステム。
【請求項３０】
少なくとも１つの前の値の該系列は、該コンプレッサと該デコンプレッサとの間での値の系列の伝送中に失われることのある値の見積もられた最大数に基づいて少なくとも１つのより古い前の値を捨てるように該コンプレッサにより更新されることを特徴とする請求項１９に記載のシステム。
【請求項３１】
圧縮されている現在の該値は、その現在の値と共に送信される数ｋを符号化することを特徴とする請求項１９に記載のシステム。
【請求項３２】
該値はＲＴＰヘッダを含むことを特徴とする請求項１９に記載のシステム。
【請求項３３】
少なくとも１つの該受取通知は、ＲＴＰヘッダのＴＳ及びＩＰ−ＩＤの受取通知を表すＲＴＰ  ＳＮヘッダの受取通知であることを特徴とする請求項２１に記載のシステム。
【請求項３４】
コンプレッサからデコンプレッサへ送るために現在の値を減じられた数のビットに圧縮する方法であって、この方法は：
少なくとも１つの前の値の系列を該コンプレッサにおいて維持することを含み、各々の前の値は異なるｋ個の最下位ビットを有すると共に該デコンプレッサへ送信されており；
前の値の該系列中のいずれかの値を基準値として使用して該デコンプレッサにおいて現在の該値を首尾良く解凍することを可能にする減じられた数のビットを表すｋの値を決定することを含んでおり；
現在の該値を現在の該値のｋ個の最下位ビットと共に該コンプレッサから該デコンプレッサへ圧縮されている形で送ることを含むことを特徴とする方法。